(57)【特許請求の範囲】
【請求項１】
データストリーム情報を適応させるために、コンピュータネットワークに接続されるデータストリーム適応サーバであって、
前記コンピュータネットワークに接続される検索装置から検索情報を入力する入力手段と、
前記検索情報と、前記コンピュータネットワークに接続され、前記検索情報に対応する前記データストリーム情報を供給することが可能なデータストリーム情報ソースのアドレス情報と、変換前後のファイル形式を示す変換情報とを記憶するソース情報メモリ手段と、
前記ソース情報メモリ手段から前記アドレス情報を取得し、該取得したアドレス情報によって特定される前記データストリーム情報ソースの１つから、前記検索情報に対応し、且つ前記変換情報が示す変換前のファイル形式で記憶されたデータストリーム情報を取得するデータストリーム検索手段と、
前記データストリーム情報を前記コンピュータネットワークを介して前記検索手段へ供給する供給手段と、
を含むデータストリーム適応サーバにおいて、
前記データストリーム情報ソースから前記データストリーム検索手段により取得されるデータストリーム情報を、前記変換情報に従って前記検索装置の処理能力に適応するデータストリーム情報に変換するデータストリーム変換手段を有し、
前記検索装置の前記処理能力は前記検索情報に含まれる又は特定されるモード情報により特定されることを特徴とするデータストリーム適応サーバ。
【請求項２】
前記検索情報は、ｈｔｔｐプロトコル(Hyper Text Transfer Protocol)に従って符号化され、前記データストリーム変換手段は、前記モード情報を前記ｈｔｔｐプロトコルから得ることを特徴とする請求項１に記載のデータストリーム適応サーバ。
【請求項３】
前記データストリーム変換手段の処理速度は、前記検索されるデータストリーム情報をリアルタイムに適応可能にさせることを特徴とする請求項１に記載のデータストリーム適応サーバ。
【請求項４】
前記データストリーム変換手段は、ｒｓｔｐプロトコル(Real Time Stream Protocol)に従って前記検索手段に適応する前記データストリーム情報を変換する請求項３に記載のデータストリーム適応サーバ。
【請求項５】
前記適応するデータストリーム情報を記憶するバッファメモリ手段が含まれることを特徴とする請求項１に記載のデータストリーム適応サーバ。
【請求項６】
請求項１〜５のいずれか一項に記載のデータストリーム適応サーバを用いてデータストリーム情報を検索する、前記コンピュータネットワークに接続された検索装置であって、
前記検索情報を前記データストリーム適応サーバへ転送する検索手段と、
前記データストリーム適応サーバから前記検索情報に対応するデータストリーム情報を入力する入力手段と、
入力された前記データストリーム情報を処理する処理手段と、
を含む検索装置において、
前記検索手段は、当該検索手段の処理能力を前記検索情報の一部として特定するモード情報を供給することを特徴とする検索装置。
【発明の詳細な説明】
【０００１】
【発明の属する技術分野】
本発明は、請求項１の冒頭部分に規定されるようなデータストリーム適応サーバと、請求項６の冒頭部分に規定されるような検索装置とに関する。
【０００２】
【従来の技術】
上記データストリーム適応サーバ及び上記検索装置は、米国特許公報US-A-5,940,074から公知である。この公知のデータストリーム適応サーバは、公知の検索装置から検索情報を入力するために、インターネット及び電話ネットワークに接続された入力手段を有する。この公知の検索装置は、インターネットに接続されたセットトップボックスにより形成される。このセットトップボックスは、テレビジョンセットに接続され、ソフトウェアプログラムを実行する。
【０００３】
例えば、テレビジョンセットによってグラフィックを表示するためのグラフィカルデータのようなソフトウェアプログラムの不測の動作状態がセットトップボックスに起きるとき、セットトップボックスは、データストリーム適応サーバの検索手段への接続を構築する。このデータストリーム適応サーバは、セットトップボックスにより要求されるグラフィカルデータとデータストリーム情報を形成する他のグラフィカルデータとを記憶したデータベースサーバのアドレス情報（URL: Uniform Resource Locator）を記憶するソース情報メモリ手段を含む。
【０００４】
公知のデータストリーム適応サーバは、検索情報によって特定されるグラフィカルデータを検索するデータストリーム検索手段を含む。加えて、このデータストリーム適応サーバは、所与の場合において、グラフィカルデータのリマインダが予めセットトップボックスに転送され、セットトップボックスに記憶されているので、グラフィカルデータの一部のみがこのデータベースサーバからダウンロードされなければならないかをチェックする。データストリーム適応サーバの出力手段は、グラフィカルデータをデータストリーム情報として部分的に又は全てをセットトップボックスへ供給する。
【０００５】
【発明が解決しようとする課題】
公知のデータストリーム適応サーバは、データベースサーバからデータストリーム適応サーバを介して検索装置へ転送されるデータストリーム情報が、所与の場合において、このデータストリーム情報の一部が検索装置に転送されない程度でのみ適応されるという欠点があることが分かっている。
【０００６】
公知の検索装置は、この検索装置の処理手段が、データベースサーバからデータストリーム適応サーバを介して入力され、既に幾らかデータベースサーバに記憶される又は検索装置の処理の可能性に適応するように符号化する上記データストリーム情報のみを処理するという欠点があることが分かっている。
【０００７】
【課題を解決するための手段】
本発明の目的は、所望するデータストリーム情報が、検索装置によって処理することが可能である上記態様で適応するデータストリーム適応サーバを提供することである。本発明の更なる目的は、データストリーム適応サーバによって、所望するデータストリーム情報の適応を支援する検索装置を提供することである。請求項１の冒頭部分に規定されるようなデータストリーム適応サーバに対しては、本目的は請求項１の特徴部に規定される方策により達成され、請求項６の冒頭部分に規定されるような検索手段に対しては、前記目的は請求項６の特徴部に規定される方策により達成される。
【０００８】
請求項１及び６に規定される方策に従って、データストリーム変換手段は、検索手段がデータストリーム情報を処理することが可能な技術処理モードの情報特性を前記検索情報モードから得る。それに応じて、データストリーム変換手段は、検索手段に供給される変換されたデータストリーム情報が検索手段によって実際に処理される方法でデータサーバから検索されるデータストリーム情報を変換する。検索されるデータストリーム情報の一部（例えばテレビジョンプログラムの音声）だけがこの検索装置に供給されるのも可能である。
【０００９】
データストリーム情報の変換は、データベースサーバの第１符合化に従って符号化されたオーディオデータを復号し、この復号されたオーディオデータを第２符合化に従って符号化されたオーディオデータに符号化させることによって生じ、これは検索装置において処理される。その上、例えば復号されたオーディオデータは、アナログオーディオ信号に変化される変換が生じてもよい。
【００１０】
これは、即座にアクティブとなる検索装置によって処理されることを可能にするために、データベースサーバに記憶されるデータストリーム情報がデータストリーム適応サーバによって変換される利点を有する。従って、莫大な量の適応データストリーム情報は、検索装置のユーザの自由裁量に任されていて、これら情報は、データベースサーバからデータストリーム情報を直接検索する場合、検索装置によって処理することができない。
【００１１】
その上、データベースサーバに記憶されるデータストリーム情報のプロバイダは、検索装置の技術処理能力のために、多数の検索装置を記憶されたデータストリーム情報を検索することから除外することなく、所与のやり方又は符号化することでこの情報を記憶する利点が得られる。
【００１２】
請求項２に規定される方策は、ｈｔｔｐプロトコル(Hyper Text Transfer Protocol)が既に広く普及して使用され、多くの検索装置によってモード情報を供給するのに使用される利点を有する。
【００１３】
請求項３に規定される方策は、検索装置のユーザは、検索されるデータストリーム情報、例えばテレビジョンムービを直接再生することができるという利点を有する。加えて、データストリーム情報がリアルタイムで直接再生されるので、検索装置が、全てのデータストリーム情報を記憶するための大容量メモリを持つ必要が無くなるという利点を有する。
【００１４】
請求項４に規定される方策は、ｒｓｔｐプロトコル(Real Time Stream Protocol)がオーディオ／ビデオデータをリアルタイムで転送及び制御するのに特に適しているという利点を有する。
【００１５】
請求項５に規定される方策は、検索装置によって頻繁に要求されるデータストリーム情報は、データストリーム適応サーバによって１度だけ変換されなければならず、既にバッファメモリから読み取られ、検索装置により次の検索時に検索装置に転送される利点を有する。
【００１６】
【発明の実施の形態】
本発明は、例として与えられるが、本発明を制限するものではない３つの実施例を示す図を参照して詳細に説明される。
【００１７】
図１は、データストリーム適応サーバ１、第１検索装置２、第２検索装置３、第３検索装置４、第１データベースサーバ５、第２データベースサーバ６、及びインターネットＮＥＴを示すブロック図である。このデータストリーム適応サーバ１、検索装置２，３及び４、並びにデータベースサーバ５及び６は、インターネットにおいては一般的であるｈｔｔｐプロトコル又はｒｓｔｐプロトコルに従って、インターネットＮＥＴを介してデータストリーム情報ＤＳＩを転送するのに適応するコンピュータによって形成される。
【００１８】
第１データベースサーバ５及び第２データベースサーバ６は、これらデータベースサーバ５及び６によってインターネットを介し転送することが可能なデータストリーム情報ＤＳＩを記憶し、これにより、データベースサーバ５及び６は、データストリーム情報ソースを形成する。データストリーム情報ＤＳＩは、オーディオ情報（例えばリアルオーディオ、ＭＰ３）、画像情報（例えば＊．ｊｐｇ、＊．ＢＭＰ）、ビデオ情報（例えばＨＤＴＶ、ＳＤＴＶ、ＤＶＢ、ＤＶＤ、ＰＡＬ、ＮＴＳＣ）又はテキスト情報（例えば＊．ＤＯＣ、＊．ＴＸＴ、ＡＳＣＩＩ）を含んでいる。
【００１９】
検索装置２、３及び４の各々は、検索手段、入力手段及び処理手段を有し、これら手段は図１に示されていない。検索手段は、検索情報ＡＩをインターネットＮＥＴを介してデータストリーム適応サーバ１に転送する。このために、検索手段は、データストリーム適応サーバ１のインターネットアドレス（例えば、http://www.datastreaminformation.com）を記憶している。検索情報ＡＩは、データストリーム特定情報ＤＳＫＩ及び検索装置２、３又は４の処理手段の処理モードを特徴とするモード情報ＭＩ若しくは実施例を参照して詳細に説明される割り当て情報ＦＩを含む。
【００２０】
検索装置２、３及び４の入力手段は、供給される検索情報ＡＩに対応するそれぞれの検索装置２、３又は４に適応するデータストリーム情報ＤＳＩを入力する。検索装置２、３及び４の処理手段は、後で詳細に説明される入力された適応データストリーム情報ＤＳＩを処理することが可能である。
【００２１】
データストリーム適応サーバ１は、データストリーム情報ＤＳＩをそれぞれの検索装置２、３又は４に適応させるように設計され、インタフェース７を有する。このインタフェース７は、検索装置２、３又は４の１つから検索情報ＡＩを入力する入力手段と、データストリーム情報ＤＳＩを供給する出力手段とを形成する。インタフェース７により入力される検索情報ＡＩ及びインタフェース７により供給されるデータストリーム情報ＤＳＩは、ｈｔｔｐプロトコル又はｒｓｔｐプロトコルに従っている。
【００２２】
データストリーム適応サーバ１は更にソース情報メモリ手段８を含み、これは図２に示されるソース情報テーブル９及び図３に示される割り当てテーブル１０を記憶している。ソース情報テーブル９の１列目は、可能な検索情報ＡＩ（ＤＳＫＩ−ＭＩ／ＦＩ）を記憶し、これは検索装置２、３又は４の１つによって入力され、これら検索装置の各々に対し、メモリデータ特定情報ＳＫＤＩが２列目に記憶される。このメモリデータ特定情報ＳＫＤＩは、可能な検索情報ＡＩに対応するデータストリーム情報ＤＳＩを供給することが可能なデータストリーム情報ソースからのアドレス情報ＡＤＩを含んでいる。このメモリデータ特定情報ＳＫＤＩは更にデータストリーム情報ソースにより供給することが可能なデータストリーム情報ＤＳＩの型式又は符号化を特徴とするメモリ情報ＳＩを含んでいる。
【００２３】
ソース情報テーブル９の３列目は、後で詳細に説明される変換情報ＵＩを記憶している。図２に示されるソース情報テーブル９は、３行だけしか情報を含んでいない。しかしながら、ソース情報テーブル９は、数千ものエントリを有してもよく、インターネットＮＥＴに新しく接続されたデータベースサーバに記憶されるデータストリーム情報ＤＳＩを特定する新しいエントリで定期的に更新される。この更新は、インターネットの検索エンジンから知られるように、自動的又は手動で実行されてよい。
【００２４】
データストリーム適応サーバ１は更に、データストリーム情報ソースの１つから入力された検索情報ＡＩに対応するデータストリーム情報ＤＳＩを検索するデータストリーム検索手段１１を含む。このデータストリーム検索手段１１は、データストリーム検索情報ＤＳＡＩをインタフェース７に供給する。
【００２５】
データストリーム検索情報ＤＳＡＩは、適切な入力される検索情報ＡＩと相関し、ソース情報テーブル９に記憶されるデータストリーム情報ソースのアドレス情報ＡＤＩを含んでいる。このデータストリーム検索情報ＤＳＡＩは更に、入力される検索情報ＡＩのデータストリーム特定情報ＤＳＫＩを含んでいる。
【００２６】
データストリーム適応サーバ１は更に、地上アンテナ１３からテレビジョン信号ＦＳを及び衛星アンテナ１４から衛星信号ＳＡＴを入力するように配されたチューナ１２を含んでいる。このチューナ１２は、データストリーム検索手段１１からデータストリーム特定情報ＤＳＫＩを入力するように配され、このとき、データストリーム特定情報ＤＳＫＩにより特定されたテレビジョンチャンネルのテレビジョン信号は、第３データストリーム情報ＤＳＩ３として供給されることが可能である。これによりチューナ１２はデータストリーム情報ソースを形成する。
【００２７】
データストリーム適応サーバ１は、データストリーム情報ソースから要求されるデータストリーム情報ＤＳＩを検索装置２、３又は４の処理モードに適応したデータストリーム情報ＤＳＩに変換するデータストリーム変換手段１５を含み、この検索装置２、３又は４の処理モードは、検索情報ＡＩに含まれる又は規定されるモード情報ＭＩにより規定される。
【００２８】
第１実施例において、第１検索装置２はＭＰ３プレーヤ形式であり、これを用いて、ＭＰ３符号化に従って符合化されたオーディオ情報が音響的に再生することができると仮定する。更に、インターネットに接続されたデータベースサーバからＭＰ３符号化された楽曲をダウンロードするために、検索装置２はインターネットＮＥＴに接続されていると仮定する。最後に、検索装置の使用者がモーツアルト作曲の“クライネ・ナハトムジーク”を聞くことを望み、検索装置２のキーを用いて検索装置２の検索手段に使用者の希望を入力したと仮定する。
【００２９】
その後、検索装置２は、インターネットを介して第１検索情報ＡＩ１をデータストリーム適応サーバ１に供給する。この第１検索情報ＡＩ１は、このとき、データストリーム特定情報ＤＳＫＩ＝“MOZART-KLEINE NACHTMUSIK”とモード情報ＭＩ＝“ＭＰ３”との両方を含み、これは第１検索装置２がＭＰ３符号化に従って符号化されたデータストリーム情報ＤＳＩのみを処理することを示す。
【００３０】
インタフェース７により入力される第１検索情報ＡＩ１は、このインタフェース７からデータストリーム検索手段１１へ与えられる。このデータストリーム検索手段１１は、その後、ソース情報メモリ手段８に記憶されるソース情報テーブル９が上記検索情報ＡＩを含んでいるかを決定する。この第１検索情報ＡＩ１がソース情報テーブル９の３列目に現れるので、データストリーム検索手段１１は、この３列目に現れるメモリデータ情報ＳＤＫＩ＝“WWW.MUSIK.COM-REAL  AUDIO”を検出する。
【００３１】
この結果として、データストリーム検索手段１１は、第１検索装置２の使用者により所望された楽曲がアドレス情報ＡＤＩ＝“WWW.MUSIK.COM”を具備する第１データベースサーバ５においてリアルオーディオ符号化に従って記憶される情報を入力する。このデータストリーム検索手段１１は、その後、ソース情報テーブル９の３列目に含まれる変換情報ＵＩ＝“ＲＥＡＬ  ＡＵＤＩＯ  ⇒ ＭＰ３”を検出し、この情報をデータストリーム変換手段１５へ供給する。
【００３２】
データストリーム検索手段１１は更に、データストリーム検索情報ＤＳＡＩをインタフェース７へ供給し、この情報は、第１データベースサーバ５のアドレス情報ＡＤＩ＝WWW.MUSIK.COMと、データストリーム特定情報ＤＳＫＩ＝“MOZART-KLEINE NACHTMUSIK”との両方を含んでいる。インタフェース７は、その後、このデータストリーム特定情報ＤＳＫＩを第１データベースサーバ５へ転送し、これはリアルオーディオ符号化に従って符号化された楽曲“KLEINE NACHTMUSIK”を第１データストリーム情報ＤＳＩ１としてデータストリームサーバ１に供給する。
【００３３】
インタフェース７により入力される第１データストリーム情報ＤＳＩ１は、データストリーム変換手段１５に供給され、これによって、第２データストリーム情報ＤＳＩ２に変換される。これらデータストリーム変換手段１５は、与えられた変換情報ＵＩ＝“ＲＥＡＬ  ＡＵＤＩＯ⇒ＭＰ３”に応じて、リアルオーディオ符号化された第１データストリーム情報ＤＳＩ１を復号し、この復号された第１データストリーム情報ＤＳＩ１をＭＰ３符号化し、このＭＰ３符号化された第２データストリーム情報ＤＳＩ２をインタフェース７に供給する。その上、インタフェース７は、インターネットＮＥＴを介して、第２データストリーム情報ＤＳＩ２を第１検索装置２に供給する。
【００３４】
第１検索装置２は、第１検索装置２の処理手段により処理される第２データストリーム情報ＤＳＩ２を入力し、たとえＭＰ３プレーヤに適したＭＰ３符号化で“KLEINE NACHTMUSIK”を記憶するデータストリーム情報ソースが存在しなくとも、使用者は“KLEINE NACHTMUSIK”を聞くことが可能である利点を有する。第１検索装置２の使用者は、ＭＰ３符号化に従って符号化された楽曲からしか選択できない場合よりもデータストリーム情報ソースに記憶されるかなり多くの楽曲を使用者の自由裁量に任されている。
【００３５】
データストリーム情報ＤＳＩが検索装置２、３又は４によってダウンロードされる度に対価を受ける第１データベースサーバ５のプロバイダは、第１データベースサーバ５に記憶された楽曲（データストリーム情報ＤＳＩ）が、供給されたデータストリーム情報ＤＳＩを直接処理することが可能な検索手段によって、データストリーム情報ＤＳＩが第１データベースサーバ５だけからダウンロードされる場合よりも、かなり多くの検索装置によってダウンロードすることができる利点を有する。追加の利点は、各楽曲は第１データベースサーバ５の符号化に従って一度だけ記憶されなければならず、これにより、第１データベースサーバ５におけるメモリ空間が節約されることである。
【００３６】
第１実施例において、この楽曲“KLEINE NACHTMUSIK”は、検索装置によってデータストリーム適応サーバ１から、短時間内に頻繁に検索され、このために、データストリーム適応サーバ１は、例えば第２データストリーム情報ＤＳＩ２のような変換されたデータストリーム情報の中間記憶用のバッファメモリ手段１６を有すると更に仮定する。
【００３７】
これは、この楽曲の次の検索のために、データストリーム変換手段１１は、第１データストリーム情報ＤＳＩ１を第２データストリーム情報ＤＳＩ２に再び変換する必要は無いが、この情報は、バッファメモリ手段１６から検索することが可能であり、これはデータストリーム変換手段１１の計算時間を節約するという利点を有する。このバッファメモリ手段１６に記憶されるデータストリーム情報ＤＳＩは、例えば、頻繁に検索されるデータストリーム情報ＤＳＩだけがバッファリングされることを保証するために、二週間毎に消去されてもよい。
【００３８】
第２実施例において、第２検索装置３は、ＨＤＴＶテレビジョン形式であり、これはＨＤＴＶ規格に従って符号化されたテレビジョン信号を再生することを可能であると仮定する。この第２検索装置３は、インターネットに接続されたデータベースサーバからＨＤＴＶ符号化された映画をダウンロードするために、インターネットＮＥＴに接続されていると更に仮定する。最後に、第３検索装置３の使用者は、テレビ局“ＣＮＮ”が現在放送しているテレビ番組をリアルタイムに見ることを希望し、この希望を第２検索装置３のキーで第２検索装置３の検索手段にエントリすると仮定する。テレビ局“ＣＮＮ”は、ＮＴＳＣテレビジョン規格に従って、テレビ番組をアナログ衛星信号ＳＡＴとして送信することに注意すべきである。
【００３９】
第２検索装置３の検索手段は、その後、第２検索情報ＡＩ２＝“ＣＮＮ”−“００２”をインターネットＮＥＴ及びインタフェース７を介してデータストリーム検索手段１１へ転送する。その後、データストリーム検索手段１１は、検索情報ＡＩ２に含まれる割り当て情報ＦＩ＝“００２”を用いて、割り当てテーブル１０からモード情報ＭＩを決定する。第２検索装置３は、データストリーム適応サーバ１からダウンロードを事前に要求されるので、この検索装置のモード情報ＭＩ＝“ＨＤＴＶ”は、第２検索装置３の割り当て情報ＦＩと相関する割り当てテーブル１０に既に記憶される。
【００４０】
検索情報ＡＩは、検索装置が多数の技術処理モードを持つ場合に多くのポジションを有するモード情報ＭＩの代わりに、数個のポジションしか持たない割り当て情報ＦＩを含むと仮定する。従って、検索情報ＡＩとして転送すべきデータ量は最小となり、利点となる。
【００４１】
データストリーム変換手段１１は、ソース情報テーブル９から得られるメモリデータ特定情報ＳＤＫＩ＝ “ＩＮＴ．ＴＵＮＥＲ”−“ＮＴＳＣ”を用いて、ＮＴＳＣ規格に従うテレビジョン信号がチューナ１２により、テレビ局“ＣＮＮ”から入力されることを決定する。これにより、データストリーム変換手段１１は、データストリーム特定情報ＤＳＫＩ＝“ＣＮＮ”をチューナ１２に供給し、その後、テレビジョン信号を衛星信号ＳＡＴに含まれるテレビ局“ＣＮＮ”からデータストリーム変換手段１５へ第３データストリーム情報ＤＳＩ３として供給する。
【００４２】
データストリーム検索手段１１により決定され、データストリーム変換手段１５へ供給される変換情報ＵＩ＝“ＮＴＳＣ⇒ＨＤＴＶ”を用いて、データストリーム変換手段１５は、アナログデータストリーム情報ＤＳＩ３をＨＤＴＶ規格に従って符号化されるデジタルの第４データストリーム情報ＤＳＩ４へ変換する。このデータストリーム変換手段１５は、インタフェース７及びインターネットＮＥＴを介して、第４データストリーム情報ＤＳＩ４を第２検索装置３へ転送し、この装置から、第２検索情報ＡＩ２が入力される。
【００４３】
第２実施例は、データストリーム変換手段１５が任意のデータストリーム情報ソースからのデータストリーム情報ＤＳＩをリアルタイムで適当な検索装置により処理されるデータストリーム情報ＤＳＩへ変換することを可能にする利点が明白に述べられている。多数の他の変換の可能性は、当業者に創造可能である。
【００４４】
第３実施例は、第３検索装置４が、ＡＳＣＩＩテキストとして符号化されたテキスト情報を表示することが可能な表示器のコンピュータの形式と仮定する。第３検索装置４は、インターネットＮＥＴに接続されたデータベースサーバから電子新聞及び電子図書をダウンロードするために、インターネットＮＥＴに接続されていると更に仮定する。最後に、第３検索装置４の使用者は、新聞“ＴＩＭＥＳ”を読むことを望み、第３検索装置４のキーを用いてこの希望を第３検索装置４の検索手段に入力すると仮定する。
【００４５】
第３検索装置４の検索手段は、その後、第３検索情報ＡＩ３＝“ＴＩＭＥＳ”−“ＡＳＣＩＩ”をインターネットＮＥＴ及びインタフェース７を介してデータストリーム検索手段１１へ供給する。このデータストリーム検索手段１１は、その後、アドレス情報ＡＤＩ＝“WWW.NEWSPAPER.COM”を持つ第２データベースサーバ６がビットマップ符号化ＢＭＰに従って新聞“ＴＩＭＥＳ”を記憶するソース情報テーブル９から得る。データストリーム検索手段１１は、ソース情報テーブル９からも得られる変換情報ＵＩ＝“ＢＭＰ⇒ＡＳＣＩＩ”をデータストリーム変換手段１５へ供給し、データストリーム特定情報ＤＳＫＩ＝“ＴＩＭＥＳ”をインタフェース７を介して第２データベースサーバ６へ供給する。
【００４６】
その後第２データベースサーバ６により入力される第５データストリーム情報ＤＳＩ５は、インタフェースにより入力され、データストリーム変換手段１５へ転送される。データストリーム変換手段１５は、これにより、ビットマップ符号化された第５データストリーム情報ＤＳＩ５をＡＳＣＩＩコードに従って符号化された第６データストリーム情報ＤＳＩ６に変換する。この第６データストリーム情報ＤＳＩ６は、インタフェース７及びインターネットＮＥＴを介して、データストリーム変換手段１５から第３検索情報ＡＩ３が得られる第３検索装置４へ転送される。
【００４７】
表示器のコンピュータの使用者は、新聞“ＴＩＭＥＳ”がインターネットに接続されるデータストリーム情報ソースだけでなく、インターネットＮＥＴに接続されていない他のデータストリーム情報ソースによって、表示器のコンピュータによって処理することが可能なＡＳＣＩＩコードで記憶されていなくても、新聞“ＴＩＭＥＳ”を読むことができる。
【００４８】
ソース情報テーブル９及び割り当てテーブル１０に情報を割り当てるやり方は、単なる実施例であることに注意されたい。従って、例えばモード情報も変換情報ＵＩの一部を形成するので、ソース情報テーブル９の１列目に、データストリーム特定情報ＤＳＫＩのみを記憶し、完全な検索情報ＡＩ（ＤＳＫＩ／ＭＩ−Ｆｉ）を記憶しないことが可能である。
【００４９】
検索装置により要求されるデータストリーム情報ＤＳＩが異なるコードで複数のデータベースサーバから利用可能である場合、データストリーム検索手段は、データストリーム検索情報をデータストリーム情報ＤＳＩがデータストリーム変換手段によって適応するデータストリーム情報に最も効果的に変換することができるデータベースサーバに転送することに注意すべきである。このデータストリーム検索手段は、データストリーム変換手段において使用可能な符号化手段及び復号手段、並びに符号化手段及び復号手段の現在の使用を可能にする。
【００５０】
割り当てテーブルは、割り当て情報により特徴付けられる検索装置の多くの技術処理モードを含んでいることに注意されたい。例えば、ビデオレコーダの形式の検索装置に対し、情報：ＰＡＬ、ＳＨＯＷＶＩＥＷ、ＰＲＯＧＲＡＭＭＩＮＧ、ＶＰＳ、ＴＥＬＥＴＥＸＴ・・・は、ビデオレコーダにより処理することが可能な適応するデータストリーム情報を特徴付けるようにする。
【００５１】
データストリーム適応サーバのオペレータは、このデータベースサーバに記憶されたデータストリーム情報のプロバイダ及び検索装置の使用者の両方から、彼らは利益を受けているという理由でデータストリーム情報を変換する度に対価を受けるので、オペレータにとって興味深いビジネスの方法が得られることを注意すべきである。
【００５２】
リアルタイムでオーディオ／ビデオデータを転送する、すなわち中間記憶媒体を持たない場合に、ｒｓｔｐプロトコルが特に有利となることに注意すべきである。このｒｓｔｐプロトコルを用いて、オーディオ／ビデオデータの転送を制御する制御情報（例えば再生、停止）を転送することも可能である。
【００５３】
検索情報がアナログ信号としてデータストリーム適応サーバに例えば電話を介して転送されてもよいことに注意されたい。
【図面の簡単な説明】
【図１】  コンピュータネットワークを介して３つの検索装置と２つのデータストリーム情報ソースに接続されるデータストリーム適応サーバを示す。
【図２】  図１に示されるデータストリーム適応サーバのソース情報メモリ手段に記憶されるソース情報テーブルを示す。
【図３】  図１に示されるデータストリーム適応サーバのソース情報メモリ手段にも記憶される割り当てテーブルを示す。
【図１】
0004932119.tif 000002
【図２】
0004932119.tif 000003
【図３】
0004932119.tif 000004